(57)【特許請求の範囲】
【請求項１】
ロール状シートを保持して回転する保持手段と、
電力を出力する第１の電源回路と、
前記第１の電源回路の出力に基づく電力が供給され、前記保持手段が回転すると回転検知信号を出力する信号出力手段と、
前記ロール状シートから引き出されたシートが所定位置にあることを検知するセンサと、
前記センサが前記シートを検知した場合に、当該シートを搬送する搬送手段と、
前記搬送手段に搬送力を付与するモータと、
少なくとも前記モータに電力を供給する第２の電源回路と、を備え、
前記第２の電源回路は、前記第１の電源回路から電力が出力され、且つ当該第２の電源回路から電力が出力されていない状態であるスリープモードにおいて、前記回転検知信号が出力されたときに少なくとも前記モータに電力を供給することを特徴とする搬送装置。
【請求項２】
前記第２の電源回路は、前記センサに電力を供給することを特徴とする請求項１に記載の搬送装置。
【請求項３】
前記保持手段を複数台備え、
前記信号出力手段は複数の前記保持手段にそれぞれ配置され、
前記第２の電源回路は、複数の前記信号出力手段のうち少なくとも１つから回転検知信号が出力されたときに電力を出力することを特徴とする請求項１又は請求項２に記載の搬送装置。
【請求項４】
外部との通信手段を備え、前記外部からの駆動を指令する手段と、
前記スリープモードにおいては、操作不能とされる操作パネルと、
前記操作パネルへ電力を供給する電源の生成を指示する第１の信号を出力する制御部と、
を備え、
前記制御部は、前記外部からの指示による前記スリープモードからの復帰時において、前記第１の信号を指示状態にせず、前記スリープモードにあるときであって、前記外部からの駆動指令で前記スリープモードから復帰する際、前記ロール状シートの回転によって前記回転検知信号が出力された場合、前記第１の信号を指示状態としないことを特徴とする請求項１乃至請求項３のいずれか一項に記載の搬送装置。
【請求項５】
請求項１乃至請求項４のいずれか一項に記載の搬送装置と、
前記搬送装置で搬送した前記引き出されたシートに画像を形成する画像形成手段と、
を備えることを特徴とする画像形成装置。
【発明の詳細な説明】
【技術分野】
【０００１】
本発明は、搬送装置、及び画像形成装置に関する。
【背景技術】
【０００２】
未使用時における装置の消費電力を抑えるために、装置の不要な機能への電力の供給を停止（ＯＦＦ）する「スリープモード」なる機能を持つものが知られている。また、上記「スリープモード」から、電力が停止されていた機能に電力が供給（ＯＮ）された「待機モード（レディモード）」に復帰させるには、装置の操作パネル等に何らかの操作を行うことがきっかけとなる。
【０００３】
ロール状シートからシートを引き出して搬送する搬送装置においては、上述した待機モードにおいてロール紙をセットしてから用紙の給紙搬送を行うこととなる。
しかしながら、搬送装置にロール紙をセットするとき、給紙装置がスリープモードになっているかどうかを目視確認できないことがある。この場合には、給紙搬送できないことがあり、ユーザは、装置がスリープモードであるか否かを、操作パネルの目視により確認する必要があるため、操作が煩雑になっていた。
【０００４】
特許文献１には、ユーザの操作を簡易化するために、画像処理装置に人体センサを搭載し、ユーザが装置に近づくと内部処理回路への電力供給を開始する技術が記載されている。
【発明の概要】
【発明が解決しようとする課題】
【０００５】
しかしながら、スリープモードからの復帰処理に人体センサを用いる従来技術にあっては、装置の前を人が通過しただけでスリープモードから復帰してしまうことがあるため、必要以上に装置の消費電力が増えてしまうといった問題があった。
【０００６】
本発明は、上記に鑑みてなされたもので、その目的は、装置の消費電力を抑えつつユーザの操作性を向上することにある。
【課題を解決するための手段】
【０００７】
上記課題を解決するため、請求項１記載の発明は、ロール状シートを保持して回転する保持手段と、電力を出力する第１の電源回路と、前記第１の電源回路の出力に基づく電力が供給され、前記保持手段が回転すると回転検知信号を出力する信号出力手段と、前記ロール状シートから引き出されたシートが所定位置にあることを検知するセンサと、前記センサが前記シートを検知した場合に、当該シートを搬送する搬送手段と、前記搬送手段に搬送力を付与するモータと、少なくとも前記モータに電力を供給する第２の電源回路と、を備え、前記第２の電源回路は、前記第１の電源回路から電力が出力され、且つ当該第２の電源回路から電力が出力されていない状態であるスリープモードにおいて、前記回転検知信号が出力されたときに少なくとも前記モータに電力を供給することを特徴とする。
【発明の効果】
【０００８】
本発明によれば、装置の消費電力を抑えつつユーザの操作性を向上することができる。
【図面の簡単な説明】
【０００９】
【図１】本発明が適用される画像形成装置を示す図である。
【図２】同画像形成装置における給紙部を示す断面図である。
【図３】同画像形成装置における原稿読取装置を示す断面図である。
【図４】本発明の第１実施形態に係る搬送装置の制御系を示すブロック図である。
【図５】本発明の第２実施形態に係る搬送装置の制御系を示すブロック図である。
【図６】本発明の第３実施形態に係る搬送装置の制御系を示すブロック図である。
【図７】図６に示した搬送装置における処理を示すフローチャートである。
【図８】本発明の第４実施形態に係る搬送装置の制御系を示すブロック図である。
【発明を実施するための形態】
【００１０】
以下、本発明を図面に示した実施の形態により詳細に説明する。
本発明は、装置の消費電力を抑えつつユーザの操作性を向上するために、以下の構成を有する。
すなわち、本発明の搬送装置は、ロール状シートを保持して回転する保持手段と、電力を出力する第１の電源回路と、第１の電源回路の出力に基づく電力が供給され、保持手段が回転すると回転検知信号を出力する信号出力手段と、ロール状シートから引き出されたシートが所定位置にあることを検知するセンサと、センサがシートを検知した場合に、当該シートを搬送する搬送手段と、搬送手段に搬送力を付与するモータと、少なくともモータに電力を供給する第２の電源回路と、を備え、第２の電源回路は、第１の電源回路から電力が出力され、且つ当該第２の電源回路から電力が出力されていない状態であるスリープモードにおいて、回転検知信号が出力されたときに少なくともモータに電力を供給することを特徴とする。
以上の構成を備えることにより、装置の消費電力を抑えつつユーザの操作性を向上することができる。
上記の本発明の特徴に関して、以下、図面を用いて詳細に説明する。
【００１１】
＜画像形成装置＞
まず、本発明の実施形態が適用される画像形成装置について説明する。
この画像形成装置は、本発明の実施形態が適用される搬送装置を備える。図１は本発明が適用される画像形成装置を示す図、図２は同画像形成装置における搬送装置を示す断面図、図３は同画像形成装置における原稿読取装置を示す断面図である。
【００１２】
画像形成装置５は、ロール状シートであるロール紙から用紙を引き出して搬送する搬送装置である給紙部１、引き出された用紙に画像を形成する画像形成手段である作像部２、原稿を読み取る原稿読取部３、ユーザが画像形成装置５の操作を行う操作パネル４を備える。
画像形成装置５は、原稿の読取、画像形成を実行してプリンタ、複写機として使用可能なＭＦＰ（Multi Function Printer）として構成される。
また、画像形成装置５は、省電力化のため、不使用時に必要としない機能に電力を供給せず、停止状態とするスリープモードとすることができる。所定の事象をきっかけとして、スリープモードから復帰してレディモードとなり、ロール紙のセットや画像形成処理を実行することができる。
【００１３】
給紙部１は、２種類の用紙を巻き取ったロール紙１０Ａ、１０Ｂをストックしている。給紙部１においてロール紙１０Ａ、１０Ｂは上下２段に配置されている。なお、ロール紙の数は３以上（Ｎ）であってもよい。作像部２は、給紙部１から送られてきた用紙に印刷を行う。又、作像部２には制御基板等も含む。本実施形態では、作像部２は、インクジェット式であるとして説明するが、これは電子写真方式であってもよい。本実施形態では「用紙」と記載するがこれは「紙」である必要はなく、フィルム等であっても良い。
原稿読取部３は、原稿を搬送させてイメージセンサで読み取る。等倍光学系や縮小方光学系を備えるものを使用でき、どのような方式のものでもよい。
操作パネル４は、液晶表示装置（ＬＣＤ：Liquid Crystal Display）と機械式のボタンとを備えて構成されている。操作パネル４は、ユーザからの各種操作及びユーザへの通知が行われる。ＬＣＤとタッチパネルとを組み合わせたものを使用することもできる。
【００１４】
操作パネル４は、スリープモードのとき操作部のバックライトが消灯しており、何も表示されないが、ボタンの操作が可能とされる。なお、スリープモードであることを示すランプ等は表示される。また、タッチパネルを採用した場合であってもタッチパネルはバックライト消灯時に操作できる。画像形成装置５において、スリープモードでは、スリープモードから復帰するための必要な最低限の機能に電力が供給されている。
【００１５】
ここで、ロール紙は、大きいもので、紙幅が１ｍ以上、重さが１０ｋｇ以上となる。このため、ロール紙を交換する際、ユーザは屈んで両手でロール紙を扱う必要がある。このとき、操作パネル４の高さは例えば１．２ｍ程度となるため、ロール紙の交換中においては、ユーザは操作パネルを目視することができない。そのため、ロール紙を交換しようとしている間、ユーザは、機器がスリープモードであるかどうかを認識することができない。
【００１６】
＜給紙部＞
次に給紙部１について説明する。図２は同画像形成装置における給紙部を示す断面図である。
なお、図１に示した画像形成装置５では、給紙部１には２本のロール紙１０Ａ、１０Ｂを配置しているが、ここではそのうちの１段をロール紙１０として説明する。
ロール紙１０は、軸１２を備える保持手段であるスプール１１によって支持される。スプール１１の軸１２は、ギアを備え、ロール紙１０の回転を伝達する。スプール１１は、給紙ユニット１３に支持され、給紙ユニット１３は、各部材を支持する。
給紙ガイド１４は、ロール紙１０を給紙する際、用紙を案内する。給紙ローラー１５は、上下の２つのローラーで用紙を鋏み込み、給紙モータ１６で駆動されて回転する。給紙ローラー１５の回転によりロール紙１０の用紙を上方向に搬送する。
【００１７】
給紙モータ１６は、メインコントロールユニット１２０のＣＰＵにより駆動が制御され、ロール紙１０の給紙時に給紙ローラー１５を駆動して用紙を搬送する。
エンコーダ１８は、エンコーダシート１７Ａとセンサ１７Ｂとで構成される。用紙が引き出されて軸１２が回転すると、プーリ１９を介してエンコーダシート１７Ａが回転する。エンコーダシート１７Ａには一定間隔でスリットや、白黒模様が形成されており、このスリットや白黒模様をセンサ１７Ｂにより検出してロール紙１０の回転量を検出する。
【００１８】
ロール紙１０の回転量は、給紙の際の速度／搬送量制御や、ロール紙の使用量又はロール紙残量の計算、各種エラー検知に使用される。エラーとしては、入口センサが紙を検知し、エンコーダが動いているのに一定の時間が過ぎても用紙がレジストセンサまで搬送されない場合、入口センサ〜レジストセンサまでの間で異常が発生している等がある。
【００１９】
ロール紙１０から給紙を行うとき、ユーザは用紙入口センサ２０まで用紙を挿入すると、用紙入口センサ２０が用紙を検出して給紙モータ１６が動作して用紙を搬送する。ガイド用コロ２１は、搬送された用紙を支持し、ロール紙１０からの給紙時に、レジストローラー２２まで搬送する。レジストローラー２２は、モータで駆動されており、用紙は、レジストローラー２２で引かれて印字部２５まで搬送される。
【００２０】
レジストローラー２２の下流には、レジストセンサ２３が配置されており、レジストセンサ２３は、用紙がレジストローラーまで運ばれたことを検知する。なお、符号２４は本体フレームを示し、符号２５は印字部を示している。印字部２５の上部にインクジェットヘッドが配置され、インクジェットヘッドからインクを吐出することで用紙に印刷を行う。
【００２１】
＜給紙＞
このような給紙部１にロール紙１０をセットして給紙を行うときは以下の手順による。
（１）ユーザは、ロール紙１０をスプール１１に通して給紙ユニット１３にセットする。
（２）ユーザは、ロール紙１０の先端を手動で用紙入口センサ２０の検出位置まで搬送する。
（３）画像形成装置５の用紙入口センサ２０が用紙を検出すると、給紙モータ１６が駆動され、ロール紙１０を搬送する。
（４）画像形成装置５において、用紙の先端がレジストローラー２２まで搬送され、レジストセンサ２３がこれを検出し用紙の搬送を終了する。
なお、ロール紙１０の先端を手動で用紙入口センサ２０の検出位置まで搬送するとき、給紙モータ１６でロール紙１０を搬送するとき、用紙の先端がレジストローラー２２まで搬送されるときのロール紙１０の回転量はエンコーダ１８で検出される。
【００２２】
このようにロール紙１０の設置時において、用紙の搬送を給紙モータ１６で行うときがあるため、給紙モータ１６や用紙入口センサ２０、レジストセンサ２３に電力が供給されていないスリープモードのときは、ロール紙１０の設置後における給紙を行うことができない。
【００２３】
また、スリープモード中において給紙ができるようにすると、エンコーダ１８の他、用紙入口センサ２０、レジストセンサ２３、給紙モータ駆動用モータドライバ、モータドライバを制御する制御手段のＣＰＵに電力を供給する必要があり、スリープモードにおける画像形成装置５の消費電力が大きく増加してしまう。
そこで、本実施形態に係る画像形成装置５は、省電力化を図るために最低限の機能だけをＯＮ状態とし、更にスリープモード中にユーザが給紙動作を行うに際して操作部の操作によるスリープモードからの復帰によらずに給紙ができるようにする。
【００２４】
＜原稿読取部＞
次に原稿読取部３について説明する。図３は同画像形成装置における原稿読取装置を示す断面図である。図３は、図１に示した画像形成装置５を側面から示したものである。
この原稿読取部３は、シートスルー方式のものであるが、原稿読取部３は他の方式を採用するものでもよい。
原稿読取部３において、上側スキャナフレーム３０は、前後ローラーの上側、白基準板を支持する。なお、上側スキャナフレーム３０は、操作パネル４も支持している。白基準板３１は、画像読み取りの際の白基準データ生成用の板部材である。前ローラー３２は、モータで駆動され、上下２つのローラーで原稿３３を搬送する。また、前ローラー３２は、後ローラー４１と連動して動作する。
【００２５】
下部スキャナフレーム３４は、前ローラー３２、後ローラー４１、スキャナセンサ３６、スキャナレジストセンサ３７、コンタクトガラス３８、イメージセンサ３９、原稿排紙センサ４０を支持する。
スキャナセンサ３６は、原稿３３が図中右側から挿入されたことを検知する。スキャナセンサ３６は、スリープモードからの復帰に用いることができる。これについては後述する。
スキャナレジストセンサ３７は原稿３３が進入したことを検出する。コンタクトガラス３８は、イメージセンサ３９の上部を覆い、イメージセンサ３９を保護する。
イメージセンサ３９は、光源、レンズ等の光学系を含み、原稿３３に照射された光の反射光を光電変換により電気信号に変換する。
原稿排紙センサ４０は、原稿排紙センサ４０が読み終わったときにおいて原稿排紙センサ４０が排紙されたことを検出する。また、後ローラー４１は、前ローラー３２と連動して原稿を搬送する。
【００２６】
＜原稿読取の処理＞
原稿読取の処理は以下のように行われる。
（１）ユーザが原稿３３をスキャナセンサ３６まで進入させると、原稿３３をスキャナセンサ３６が検知し、前ローラー３２及び後ローラー４１が回転駆動して、原稿３３を挟んで搬送する。
（２）原稿３３がコンタクトガラス３８上で一度停止し、ユーザが操作パネル４の読取開始ボタンを押すと原稿３３が更に搬送される。
（３）前ローラー３２、後ローラー４１が駆動され、原稿３３は搬送方向３５に搬送されながら、イメージセンサ３９で読み取りが行われる。
（４）原稿３３の後端がスキャナレジストセンサ３７を通過して一定時間経過後、例えば原稿３３の後端がイメージセンサ３９を通過した後、イメージセンサ３９の読み取りは終了する。
（５）その後も原稿３３は搬送され、原稿３３の後端が原稿排紙センサ４０を通過した後に前ローラー３２及び後ローラー４１が停止する。
【００２７】
＜第１実施形態＞
次に本発明の第１実施形態に係る給紙部１における処理について説明する。図４は本発明の第１実施形態に係る給紙部の制御系を示すブロック図である。
この制御系は、電源部（power Supply Unit）１１０、メインコントロールユニット（Main Control Unit）１２０、オペレーションユニット（Operation Unit）１３０を備える。
【００２８】
電源部１１０は、第１の電源回路１１１と、第２の電源回路１１２とを備える。また、メインコントロールユニット１２０は、マイクロコントローラ（Microcontroller）１２１、ＣＰＵ（＃１）１２２、モータドライバ（Motor driver）１２３を備える。更に、オペレーションユニット１３０はＣＰＵ（＃２）１３１、操作パネル（control Panel）４を備える。操作パネル４はＣＰＵ（＃２）１３１により制御されており、ＣＰＵ（＃２）１３１に電力が供給されていない場合ＯＦＦ状態である。
【００２９】
＜電源部＞
まず、電源部１１０について説明する。
第１の電源回路１１１は、「５ＶＸ」を出力する。
また、第２の電源回路１１２は、適宜供給、断絶される「５Ｖ」、「２４Ｖ」を生成する。
第１の電源回路１１１から電力が出力され、且つ第２の電源回路１１２から電力が出力されていない状態が「スリープモード」となる。
【００３０】
ここで、各電力は以下のものである。
「５ＶＸ」：電源コードを挿した時点でＯＮ状態となる電源。常に「５Ｖ」が出力される。
「５ＶＥ」：電源ＯＦＦ状態のときはＯＦＦ状態だが、電源ＯＮ状態のときはスリープモードを含めて全てＯＮ状態である電源。信号５４により「５ＶＸ」から生成される。
「５Ｖ」：電源ＯＦＦ状態のとき、スリープモード時はＯＦＦ状態にされ、レディモード状態の際にＯＮ状態とされる電源。
「５Ｖ１」：電源ＯＦＦ状態のとき、スリープモード時はＯＦＦ状態にされ、レディモード時はＯＮ状態になる電源。信号５５により「５ＶＸ」から生成される。
「２４Ｖ」：「５Ｖ」と同じタイミングでＯＮ／ＯＦＦされる電源。モータ系の電源に使用する。
電源部１１０において、第１の電源回路１１１は、ＡＣ電源をＤＣ電源に変換し、「５ＶＸ」を出力する。また、第２の電源回路１１２はＡＣ電源をＤＣ電源に変換し、「５Ｖ」と「２４Ｖ」を出力する。第１の電源回路と第２の電源回路１１２はＡＣ電源を平滑化する回路を共有してもよいし別に保持しても良い。ここで、第２の電源回路１１２はマイクロコントローラ１２１からの信号５６により制御され、スリープモード時には「５Ｖ」と「２４Ｖ」を出力しない。
【００３１】
＜メインコントロールユニット＞
メインコントロールユニット１２０は、制御基板であり、操作パネル４以外、即ち給紙、作像、読取の処理を制御する。
マイクロコントローラ１２１は、スリープモードへの移行／解除を制御する。マイクロコントローラ１２１は、第１の電源回路１１１からの「５ＶＸ」（又は「５ＶＸ」から生成される電圧）から電力が供給されるため、常に動作している。また、メイン電源のＯＦＦ／ＯＮも制御する。
【００３２】
ＣＰＵ（＃１）１２２は、各種制御を実施する。このＣＰＵ（＃１）１２２は、第２の電源回路１１２からの「５Ｖ」（又は「５Ｖ」から生成される電圧）から供給されるため、スリープモード時はＯＦＦになる。
メインコントロールユニット１２０には、エンコーダ（ＥＮＣ）１８が接続されている。本実施形態に係る給紙部１は、２つのロール紙１０Ａ、１０Ｂを備えるため、エンコーダ１８は、２つのエンコーダ信号５１、５２を出力する。
このエンコーダ信号５１、５２はＣＰＵ（＃１）１２２に伝送され、各種制御に使用される。
また、２つのエンコーダ信号５１、５２は、マイクロコントローラ１２１に入力され、マイクロコントローラ１２１の内部で排他的論理和（ＸＯＲ）が演算され、１つの信号として処理される。
なお、ロール紙がＮ個ある場合、エンコーダ１８からはＮ個のエンコーダ信号が出力される。この場合は、Ｎ個のエンコーダ信号の排他的論理和をマイクロコントローラ１２１内で演算し、１つの信号とする。
エンコーダ１８への電力は第１の電源回路１１１の「５ＶＥ」から供給される。このため、エンコーダ１８はスリープモード時も通電されている。
【００３３】
＜給紙モータ＞
給紙モータ（Motor）１６は、第２の電源回路１１２の「２４Ｖ」が入力されるモータドライバ１２３によって駆動され、モータドライバ１２３は、制御信号６０はＣＰＵ（＃１）１２２により制御される。このため、給紙モータ１６は、スリープモードでは動作しない。またモータドライバ１２３も第２の電源回路１１２からの「２４Ｖ」で駆動されるため、スリープモード中はＯＦＦ状態である。また、マイクロコントローラ１２１と、ＣＰＵ（＃１）１２２とは信号６２で通信しており、スリープモードからの復帰情報等をやりとりする。
【００３４】
＜オペレーションユニット＞
オペレーションユニット１３０は、上述のように操作パネル４を備えており、表示／ユーザからの操作インターフェースとして操作パネル４を有している。操作パネル４は信号５５により「５ＶＸ」から生成される「５Ｖ１」で駆動されるため、スリープモード時はＯＦＦでレディモード中にのみＯＮ状態になる。
【００３５】
＜スリープモードからレディモードへの復帰＞
このような給紙部１において、給紙からのスリープモードの復帰は以下の手順による。
（１）ユーザがロール紙をセットして給紙動作（給紙入口センサまで回転させて挿入）しようとすると軸１２が回転し、エンコーダ１８からエンコーダ信号が出力される。
（２）エンコーダ信号５１、５２は給紙段につき１つずつ対応し、ロール紙１０Ａ、１０Ｂが回転すると「Ｈ」から「Ｌ」に切り替わる。また、それぞれがマイクロコントローラ１２１に入力される。マイクロコントローラ１２１は、エンコーダ信号５１、５２の排他的論理和を演算し、エンコーダ信号５１、５２のいずれかがＨ／Ｌが変化すると、ユーザがロール紙をセットしようとしていることを検出する。これにより、給紙部１を、スリープモードからレディモードに復帰させる。具体的には信号５５をイネーブルにしてＣＰＵ（＃２）１３１を動作させて操作パネル４を復帰させる。
（３）同じく信号５６をイネーブルにして「２４Ｖ」及び「５Ｖ」をＯＮにしてＣＰＵ（＃１）１２２を動作させ復帰させる。これにより給紙モータ１６が駆動できるようになり、給紙動作することが可能になる。
（４）ロール紙の挿入によりスリープモードからレディモードに復帰させたとき、操作パネル４をレディモードとする。
ユーザによるロール紙の挿入により給紙部１をスリープモードからレディモードに復帰させたときに操作パネル４をレディモードに復帰させるのは、給紙ローラー１５が用紙を挟んだ後、給紙モータ１６が駆動してレジストセンサ２３まで用紙を搬送する前に、ユーザが操作パネル４を操作することがあるからである。操作パネル４を操作することにより、用紙の紙種等（紙サイズ・紙厚）の選択や、給紙動作を実施させるどうかの確認を行う。
【００３６】
また、用紙入口センサ２０には「５Ｖ」が供給される。上述の実施形態とは異なり、エンコーダ１８に「５Ｖ」を給電し、用紙入口センサ２０に「５ＶＥ」を給電して、用紙入口センサ２０のＯＮ／ＯＦＦでスープモードから復帰させることもできる。
しかし、その場合は、ロール紙１０の用紙を用紙入口センサ２０までユーザが入れてからスリープモードからの復帰動作が開始となる。
この場合には、ＣＰＵ（＃１）１２２の起動時間に起因して給紙モータ１６が用紙を搬送できるようになるまでにタイムラグが生じる。そして、このタイムラグ中はユーザが用紙を抑えていなければならない。
本実施形態のようにエンコーダ１８でのロール紙１０の回転検出による復帰の方が、ユーザが用紙を入れようとする「予備動作」でスリープモード復帰動作を開始できるため、ＣＰＵ（＃１）１２１の起動タイムラグによる影響を受けにくい。
【００３７】
ここで上述した「予備動作」は、用紙を給紙ガイド１４に沿って挿入させるために、用紙先端を入れやすい位置まで回転させる動作や、用紙の先端を給紙ガイド１４に沿って入口センサまで入れる動作をいう。
【００３８】
以上のように、実施形態１によれば、ユーザが用紙を給紙位置まで入れようとすることによりエンコーダ１８がスプール１１の回転を検知する。これにより、給紙モータ１６に第２の電源回路１１２から電力が供給され、用紙が搬送される。よって、スリープモードにおいて給紙部１の消費電力を抑えることができ、且つロール紙１０のセットに際してユーザが用紙を用紙入口に入れようとすることにより給紙モータ１６を駆動させ用紙を搬送でき、良好な操作性を実現できる。
【００３９】
＜第２実施形態＞
次に本発明の第２実施形態に係る給紙部１における処理について説明する。図５は本発明の第２実施形態に係る給紙部の制御系を示すブロック図である。
第２実施形態において、第１実施形態との相違点は、エンコーダ１８からのエンコーダ信号５１、５２の排他的論理和をマイクロコントローラ１２１に出力するＸＯＲゲート１２４を備えることである。
【００４０】
ＸＯＲゲート１２４により、エンコーダ信号５１、５２の排他的論理和を得ることで、どちらかが回転すれば信号５３が「Ｈ」又は「Ｌ」に切り替わる。このため、マイクロコントローラ１２１への入力信号を１つ減少させることができる。
また、給紙部１におけるロール紙１０の段数がＮ段の場合は第１実施形態では、Ｎ本の信号がマイクロコントローラ１２１に入力されたが、本実施形態ではマイクロコントローラ１２１への入力信号を１つにすることができる。
【００４１】
＜第３実施形態＞
次に本発明の第３実施形態に係る給紙部１における処理について説明する。図６は本発明の第３実施形態に係る給紙部の制御系を示すブロック図である。
【００４２】
本発明の第３実施形態に係る給紙部１は、ＬＡＮ（Local Area Network）に接続され、外部のコンピュータ（ＰＣ）等から操作ができるものである。
このため、メインコントロールユニット１２０に外部との通信手段として、有線／無線ＬＡＮインターフェースであるＬＡＮモジュール（LAN Md）１２５を備える他、オペレーションユニット１３０に解除信号出力手段としてスリープモードからの復帰用スイッチ（switch）１３２を備える。
これにより、オペレーションユニット１３０のスリープモード復帰用スイッチ１３２からのスリープモードからの復帰、ＬＡＮモジュール１２５の信号６４によるスリープモードからの復帰ができる。
更に、本実施形態では、スキャナセンサ３６からの信号６３によるスリープモード復帰を可能としている。なお、エンコーダ１８からのスリープモード復帰の処理は、第２実施形態のものと同じである。
【００４３】
ここで、スリープモード復帰用スイッチ１３２には、「５ＶＸ」（「５ＶＥ」でもよい）が供給されているため、スリープモード復帰用スイッチ１３２は、スリープモード時も動作する。
また、スキャナセンサ３６には、「５ＶＥ」が供給されているため、スリープモード時も動作する。
更に、ＬＡＮモジュール１２５は、「５ＶＥ」（又は「５ＶＥ」から生成される電源）から供給されるため、スリープモード時も動作する。なお、本実施形態ではＬＡＮ接続した場合を例にしているが、通信手段としては、ＵＳＢ（Universal Aerial Bus）等の他の手段で接続のときも同様に適用できる。
【００４４】
＜スリープモードからの復帰＞
これらのスリープモードからの復帰は以下の手順による。
＜操作パネル＞
（Ａ）スリープモード復帰用スイッチ１３２によるスリープモードからの復帰。
（１）ユーザが、スリープモード復帰用スイッチ１３２を押下すると信号６５がアサートされる。
（２）マイクロコントローラ１２１は、信号６５のレベルを検出し、信号５５をアサートする。これにより「５Ｖ１」が生成され操作部ＣＰＵ（＃２）１３１が立ち上がる。
（３）同時にマイクロコントローラ１２１は、信号５６をアサートして、第２の電源回路１１２を立ち上げる。これにより「２４Ｖ」／「５Ｖ」がＯＮ状態となり、ＣＰＵ（＃１）１２２が立ち上がる。
（４）これにより、全てのモジュールがスリープ状態から復帰する。
【００４５】
＜スキャナセンサ＞
（Ｂ）スキャナセンサ３６によるスリープモードからの復帰。
（１）原稿を挿入する（又は抜くでもよい）とスキャナセンサ３６からの信号６３が変化する。
（２）マイクロコントローラ１２１は信号６３のエッジ（「Ｈ」から「Ｌ」、「Ｌ」から「Ｈ」）を検出し、信号５５をアサートする。これにより「５Ｖ１」が生成され操作部ＣＰＵ（＃２）１３１が立ち上がる。
（３）同時にマイクロコントローラ１２１は、信号５６をアサートして、第２の電源回路１１２を立ち上げる。これにより「２４Ｖ」／「５Ｖ」がＯＮ状態となり、ＣＰＵ（＃１）１２２が立ち上がる。
（４）これにより、全てのモジュールがスリープ状態から復帰する。
【００４６】
＜ＬＡＮモジュール＞
（Ｃ）ＬＡＮモジュール１２５によるスリープモードからの復帰。
（１）外部（ＰＣなど）から印刷命令がＬＡＮモジュール１２５に入る。
（２）信号６４がアサートされる。
（３）マイクロコントローラ１２１は信号５６をアサートして、第２の電源回路１１２を立ち上げる。これにより「２４Ｖ」／「５Ｖ」がＯＮ状態となり、ＣＰＵ（＃１）１２２が立ち上がる。
（４）ＬＡＮモジュール１２５はＣＰＵ（＃１）１２２と通信（信号６４）を行い、印刷動作を行う。
ＬＡＮモジュール１２５からの印刷命令があった場合、印刷条件はＬＡＮモジュール１２５に接続されたＰＣからなされるため操作パネル４は操作されない。
このため、スリープモード時にＬＡＮモジュール１２５から印刷信号が入ると、操作パネル４を立ち上げず（信号５５はアサートしない）、操作パネル４以外を立ち上げ印刷を実施する。
これにより、不要な電力を削減できるようにしている。
（５）更に、ＬＡＮモジュール１２５によりスリープモードから復帰したとき、印刷が開始されると、ロール紙が回転するため信号５３がアサートされる。
【００４７】
なお、第２実施形態と同じ復帰手順をとる場合は、この回転信号により信号５６がアサートされるが、ＬＡＮモジュール１２５からの復帰であるときのみ、マイクロコントローラ１２１の制御によってエンコーダ１８からの信号を無視する。
つまりＬＡＮモジュール１２５からの復帰であるときのみ、エンコーダ１８からの信号が入力された場合にもマイクロコントローラ１２１は信号５５をイネーブルにしない。このため、「５Ｖ１」がＣＰＵ（＃２）１３１に給電されず、操作パネル４は復帰しない。このように、操作部４が復帰することなく、印刷を行うことが可能になる。そして、印刷が完了すると再度スリープモード状態に入る。ただし、ＬＡＮモジュール１２５からの復帰印刷中にスキャナセンサ３６から復帰が入った場合は、操作パネル４を復帰させる。
【００４８】
＜復帰時の処理＞
次にＬＡＮモジュール１２５からの復帰時の処理について詳細に説明する。図７は図６に示した搬送装置における処理を示すフローチャートである。
ここでは、ＰＣからの印刷ジョブがＬＡＮモジュール１２５へ送られたときのスリープモードからの復帰、印刷、スリープモードヘの移行、までの流れを示す。
【００４９】
まず、ＬＡＮモジュール１２５から信号６４によりＪＯＢの指令が送られると、マイクロコントローラ１２１は、ＸＯＲゲート１２４からの信号５３（復帰信号）の受付を無効にする（ステップＳ１）。
これにより、印刷ジョブによる復帰中はエンコーダ１８で検出したロール紙回転による操作パネル４の復帰を阻止する。
次に、マイクロコントローラ１２１は、信号５６をアサートし、第２の電源回路１１２を立ち上げ、「５Ｖ」によりＣＰＵ（＃１）１２２を立ち上げる（ステップＳ２）。これにより、操作パネル４の解除による無駄な電力の消費を防止できる。
【００５０】
マイクロコントローラ１２１は、ＣＰＵ（＃１）１２２の起動を、マイクロコントローラ１２１との通信（信号６２）により検出し（ステップＳ３）、ＣＰＵ（＃１）１２２が立ち上がったら、ＬＡＮモジュール１２５とＣＰＵ（＃１）１２２とでの間でデータ受信等の通信を行い、印刷を開始する（ステップＳ４）。
マイクロコントローラ１２１は、印刷が終了すると（ステップＳ５）、再度スリープモードへ移行する（ステップＳ６）。そして、最後に、マイクロコントローラ１２１は、信号５３の受付を有効にして、ＸＯＲゲート１２４からのエンコーダ１８の信号によるスリープモードからの復帰を有効にする（ステップＳ７）。
【００５１】
第３実施形態によれば、ＬＡＮモジュール１２５を介して外部から印刷ジョブが入力されたとき、ロール紙１０が回転してエンコーダ１８から回転検出信号が出力されても「５Ｖ」から「５Ｖ１」が生成されず、操作パネル４への電力の供給は行われない。
これにより、外部からの印刷ジョブ実行時において操作パネル４ヘの電力の供給がなくなり、より省電力化を図ることができる。
【００５２】
また、第３実施形態によれば、給紙部１は、回転検知信号を受けたときの他、スリープモード復帰用スイッチ１３２からの指示、及びスキャナセンサ３６からの信号によりスリープモードから復帰する。
これにより、ユーザのスリープモード復帰用スイッチ１３２の操作、原稿のスキャン動作によりスリープモードからの復帰が実現できる。
【００５３】
＜第４実施形態＞
次に本発明の第４実施形態に係る給紙部１における処理について説明する。図７は本発明の第４実施形態に係る給紙部の制御系を示すブロック図である。
第２実施形態からの変更点はＡＮＤゲート１２６と、ＸＯＲゲート１２７とを備えたことである。ＡＮＤゲート１２６は、信号５３を信号５６との論理積に基づく信号６７をＸＯＲゲート１２７に出力する。また、ＸＯＲゲート１２７は、ＡＮＤゲート１２６からの信号６７と、スキャナセンサ３６からの信号６２との排他的論理和に基づく信号６８をマイクロコントローラ１２１に出力する。
【００５４】
第４実施形態では、マイクロコントローラ１２１から第２の電源回路１１２ヘの信号５６は負論理（Ｌｏｗでアサート、「５Ｖ」がＯＮ）としているため、ＡＮＤゲート１２６で信号５３との論理積をとることで、信号５６がアサートのとき、ＸＯＲゲート１２４からの復帰信号５３信号はマイクロコントローラ１２１に入力しない。
このため、ＬＡＮモジュール１２５からの信号６４によるスリープモードからの復帰の際、操作パネル４を復帰させないが、復帰の印刷動作によってアサートされる信号５３がマイクロコントローラ１２１に伝わらず、操作パネル４を復帰させないで印刷を継続することができる。
また、ＸＯＲゲート１２７を配置したので、信号６２と信号６７は排他的論理和をとることでメインコントロールユニット１２０に入力される信号数を削減することができる。
なお、本発明は画像形成装置だけでなく、ロール状シートから引き出されたシートを搬送して、シートを加工する加工機にも適用可能である。
【００５５】
＜本発明の実施態様例の構成、作用、効果＞
＜第１態様＞
本態様の給紙部１（搬送装置）は、ロール紙１０を保持して回転するスプール１１と、電力を出力する第１の電源回路１１１と、第１の電源回路１１１の出力に基づく電力が供給され、スプール１１が回転すると回転検知信号を出力するエンコーダ１８と、ロール紙１０から引き出された用紙が用紙入口にあることを検知する用紙入口センサ２０と、用紙入口センサ２０が用紙を検知した場合に、用紙の搬送手段である給紙ローラー１５と、給紙ローラー１５に搬送力を付与する給紙モータ１６と、少なくとも給紙モータ１６に電力を供給する第２の電源回路１１２と、を備え、第２の電源回路１１２は、第１の電源回路１１１から電力が出力され、且つ第２の電源回路１１２から電力が出力されていない状態であるスリープモードにおいて、回転検知信号が出力されたときに少なくとも給紙モータ１６に電力を供給することを特徴とする給紙部１である。
本態様によれば、ロール紙１０の用紙を用紙入口に配置することにより、用紙入口センサ２０で用紙が検出されて給紙モータ１６に第２の電源回路１１２から電力が供給され、用紙が搬送される。
これにより、スリープモードにおいて給紙部１の消費電力を抑えることができ、且つロール紙１０のセットに際して用紙を用紙入口に配置することにより給紙モータ１６を駆動させ用紙を搬送でき、良好な操作性を実現できる。
【００５６】
＜第２態様＞
本態様の第２の電源回路１１２は、用紙入口センサ２０に電力を供給することを特徴とする給紙部１である。
本態様によれば、エンコーダ１８からの回転検知信号が出力されると第２の電源回路１１２から用紙入口センサ２０電力が供給される。
これにより、スリープモードにおいては用紙入口センサ２０への電力の供給が停止され、されに省電力化を図れる。
【００５７】
＜第３態様＞
本態様の給紙部１（搬送装置）は、スプール１１を複数台備え、エンコーダ１８は複数のスプール１１に対応してそれぞれ配置され、第２の電源回路１１２は、複数のエンコーダ１８のうち少なくとも１つから回転検知信号が出力されたときに電力を出力することを特徴とする。
本態様によれば、スリープモード状態において、複数のロール紙１０のうち１つのロール紙を交換する場合、第２の電源回路１１２は、複数のエンコーダ１８のうち少なくとも１つから回転検知信号が出力されたとき、給紙モータ１６に電力を供給する。
これにより、複数のロール紙を設置できる給紙部１であっても、１つのロール紙をセットする場合、交換するロール紙の用紙を用紙入口に配置するだけで給紙モータ１６を駆動させ用紙を搬送できる。
【００５８】
＜第４態様＞
本態様の給紙部１（搬送装置）は、外部と通信を行うＬＡＮモジュール１２５を備え、外部からの印刷ジョブによる駆動を指令するメインコントロールユニット１２０と、スリープモードにおいては、操作不能とされる操作パネル４と、操作パネル４へ電力を供給する電源の生成を指示する第１の信号を出力するマイクロコントローラ１２１と、を備え、マイクロコントローラ１２１は、外部からの指示によるスリープモードからの復帰時において、第１の信号５５を指示状態にせず、スリープモードにあるときであって、外部からの駆動指令でスリープモードから復帰する際、ロール状シートの回転によって回転検知信号が出力された場合、第１の信号５５を指示状態としないことを特徴とする。
本態様によれば、外部からの指示によるスリープモードからの復帰時において、第１の信号５５を指示状態にせず、スリープモードにあるときであって、外部からの駆動指令でスリープモードから復帰する際、ロール状シートの回転によって回転検知信号が出力された場合、第１の信号５５を指示状態としない。
これにより、外部からの印刷ジョブ実行時において操作パネル４への電力供給がなくなり、より省電力化を図ることができる。
【００５９】
＜第５態様＞
本態様の画像形成装置５は、給紙部１と、給紙部１で搬送した引き出されたシートに画像を形成する作像部２と、を備えることを特徴とする。
本態様によれば、給紙部１のスリープモードにおいて給紙部１の消費電力を抑えることができ、且つロール紙１０のセットに際して用紙を用紙入口に配置することにより給紙モータ１６を駆動させ引き出されたシートを搬送できる。
これにより、画像形成装置５は、全体として省電力化が図れる他、ロール紙１０のセット時において良好な操作性を実現できる。
【符号の説明】
【００６０】
１…給紙部（搬送装置）、２…作像部（画像形成手段）、３…原稿読取部、４…操作パネル、５…画像形成装置、１０、１０Ａ、１０Ｂ…ロール紙（ロール状シート）、１１…スプール（保持手段）、１５…給紙ローラー（搬送手段）、１６…給紙モータ（モータ）、１８…エンコーダ（信号出力手段）、２０…用紙入口センサ（センサ）、１１１…第１の電源回路、１１２…第２の電源回路
【先行技術文献】
【特許文献】
【００６１】
【特許文献１】特開２００５−０１７９３８公報
【図１】
0006597245.tif 000002
【図２】
0006597245.tif 000003
【図３】
0006597245.tif 000004
【図４】
0006597245.tif 000005
【図５】
0006597245.tif 000006
【図６】
0006597245.tif 000007
【図７】
0006597245.tif 000008
【図８】
0006597245.tif 000009